(57)【特許請求の範囲】
【請求項１】
金網からなる容器形の蛇篭本体を有し、該蛇篭本体の内部は、仕切網によって大容積の第１収容室と小容積の第２収容室とに区画され、
上記第１収容室の内部には石が充填され、
上記第２収容室の内部には、水中の正イオンに帯電した有害物質を吸着するための第１種イオン吸着体が収容され、該第１種イオン吸着体は、天然無機素材を含有するスラグセメントからなる、
ことを特徴とする水質改善機能付き蛇篭。
【請求項２】
金網からなる容器形の蛇篭本体を有し、該蛇篭本体の内部は、仕切網によって大容積の第１収容室と小容積の第２収容室とに区画され、
上記第１収容室の内部には石が充填され、
上記第２収容室の内部には、水中の負イオンに帯電した有害物質を吸着するための第２種イオン吸着体が収容され、該第２種イオン吸着体は、マグネシウムを含有するスラグセメントからなる、
ことを特徴とする水質改善機能付き蛇篭。
【請求項３】
上記第２収容室は開閉自在の蓋網で覆われていて、該蓋網の開放によって上記イオン吸着体が上記第２収容室から取り出し可能であることを特徴とする請求項１又は２に記載の水質改善機能付き蛇篭。
【請求項４】
上記イオン吸着体は板状に形成され、該イオン吸着体が、板面を水と直接接触する側に向けた縦向きの姿勢で上記第２収容室内に横並び状態に配設されていることを特徴とする請求項１から３の何れかに記載の水質改善機能付き蛇篭。
【請求項５】
金網からなる容器形の蛇篭本体の内部に石を充填した蛇篭を、上下の蛇篭の位置を前後にずらして複数段段積することにより海岸、河岸、湖岸等の岸辺に沿って構築され、上記蛇篭のうち少なくとも一つが請求項１から４の何れかに記載された水質改善機能付き蛇篭であることを特徴とする水質改善機能を有する護岸壁。
【請求項６】
上下に段積された複数の蛇篭のうち、少なくとも水底側に位置する蛇篭が請求項１に記載の水質改善機能付き蛇篭であることを特徴とする、請求項１に従属する請求項５、又は請求項１に従属する請求項３に従属する請求項５、又は請求項１に従属する請求項４に従属する請求項５、又は請求項１に従属する請求項３に従属する請求項４に従属する請求項５に記載の護岸壁。
【請求項７】
上下に段積された複数の蛇篭のうち、少なくとも水面側に位置する蛇篭が請求項２に記載の水質改善機能付き蛇篭であることを特徴とする、請求項２に従属する請求項５、又は請求項２に従属する請求項３に従属する請求項５、又は請求項２に従属する請求項４に従属する請求項５、又は請求項２に従属する請求項３に従属する請求項４に従属する請求項５に記載の護岸壁。
【請求項８】
請求項１に記載の水質改善機能付き蛇篭と、請求項２に記載の水質改善機能付き蛇篭とを、上下の蛇篭の位置を前後にずらして複数段段積することにより海岸、河岸、湖岸等の岸辺に沿って構築され、
上下に段積された複数の蛇篭のうち、水底側に位置する蛇篭が上記請求項１に記載の水質改善機能付き蛇篭であり、水面側に位置する蛇篭が上記請求項２に記載の水質改善機能付き蛇篭であることを特徴とする水質改善機能を有する護岸壁。
【発明の詳細な説明】
【技術分野】
【０００１】
本発明は、海岸、河岸、湖岸等の岸辺に護岸壁を構築するための技術に関するものであり、更に詳しくは、水中の有害物質を除去して水質を改善する機能を備えた護岸壁を構築するための技術に関するものである。
【背景技術】
【０００２】
近年、海や河川あるいは湖沼等においては、護岸、底質改善、導水施設、資源生産力向上等のために基盤整備事業が計画され実施されている。しかし、外部からの汚染物質が流入する水域や、閉鎖性が強い水域においては、水質が貧酸素化したり富栄養化することによって環境悪化が進行しているのが実情である。これは、底質に蓄積された有害金属や、水面近くに発生する青粉（植物性プランクトン）等によって引き起こされるもので、生物の生育環境を喪失させ、水域の生産力を著しく低下させる原因になっている。このため、水質改善のための対策を施すことが急務となっている。
【０００３】
一方、上記海や河川あるいは湖沼等の沿岸に構築される護岸壁には、例えば特許文献１や特許文献２等に記載されているように、従来より蛇篭が使用されている。この蛇篭は、菱形金網からなる容器形をした蛇篭本体の内部に栗石を充填したもので、海岸や河岸あるいは湖岸等の岸辺に沿って複数の蛇篭を横に並べると共に、上下に複数段段積することにより、上記護岸壁が構築されている。
【０００４】
上記蛇篭による護岸壁は、非常に強固で通水性に勝れ、栗石間に生物の良好な生育環境が確保されるという利点を有するものであるが、有害金属や植物性プランクトン等を除去して水質を改善する機能までは備えていない。
【０００５】
貝殻やコンクリート魂等を用いた多孔質材によって水中の有害物質を吸着させる試みも行われているが、このような多孔質材は目詰まりを起こして機能低下を来し易く、機能の持続性に難点があった。
【先行技術文献】
【特許文献】
【０００６】
【特許文献１】特開平１０−１９２５号公報
【特許文献２】特開平１０−１８２９５号公報
【発明の概要】
【発明が解決しようとする課題】
【０００７】
本発明の技術的課題は、蛇篭の持つ利点を活かしつつ、これに水中の有害物質を吸着する機能を付加することにより、該蛇篭に水質改善機能を付加させると共に、該蛇篭で水質改善機能を備えた護岸壁を構築できるようにすることにある。
【課題を解決するための手段】
【０００８】
上記課題を解決するため、本発明によれば、金網からなる容器形の蛇篭本体を有し、該蛇篭本体の内部は、仕切網によって大容積の第１収容室と小容積の第２収容室とに区画され、上記第１収容室の内部には石が充填され、上記第２収容室の内部には、水中の正イオンに帯電した有害物質を吸着するための第１種イオン吸着体が収容され、該第１種イオン吸着体は、天然無機素材を含有するスラグセメントからなることを特徴とする水質改善機能付き蛇篭が提供される。
【０００９】
また、本発明によれば、金網からなる容器形の蛇篭本体を有し、該蛇篭本体の内部は、仕切網によって大容積の第１収容室と小容積の第２収容室とに区画され、上記第１収容室の内部には石が充填され、上記第２収容室の内部には、水中の負イオンに帯電した有害物質を吸着するための第２種イオン吸着体が収容され、該第２種イオン吸着体は、マグネシウムを含有するスラグセメントからなることを特徴とする水質改善機能付き蛇篭が提供される。
【００１０】
本発明において好ましくは、上記第２収容室は開閉自在の蓋網で覆われていて、該蓋網の開放によって上記イオン吸着体が上記第２収容室から取り出し可能とされていることである。
上記イオン吸着体は、板状に形成され、その板面を水と直接接触する側に向けた縦向きの姿勢で上記第２収容室内に横並び状態に配設されていることが望ましい。
【００１１】
また、本発明によれば、金網からなる容器形の蛇篭本体の内部に石を充填した蛇篭を、上下の蛇篭の位置を前後にずらして複数段段積することにより、海岸、河岸、湖岸等の岸辺に沿って構築された護岸壁が提供され、この護岸壁を形成する上記蛇篭のうち少なくとも一つが上記水質改善機能付き蛇篭である。
【００１２】
上記護岸壁においては、上下に段積された複数の蛇篭のうち、少なくとも水底側に位置する蛇篭が上記第１種イオン吸着体を有するか、又は、少なくとも水面側に位置する蛇篭が上記第２種イオン吸着体を有するように構成することができる。
あるいは、上下に段積された複数の蛇篭のうち、水底側に位置する蛇篭が上記第１種イオン吸着体を有し、水面側に位置する蛇篭が上記第２種イオン吸着体を有するように構成することもできる。
【発明の効果】
【００１３】
本発明によれば、水中のイオン化した有害物質を吸着するための正又は負に帯電した多孔質のイオン吸着体を蛇篭に保持させることにより、蛇篭特有の非常に強固で通水性に勝れかつ生物の良好な生育環境を確保できるという利点を活かしつつ、該蛇篭に上記イオン吸着体によって水中の有害物質を吸着して水質改善を行う機能を付加させることができると共に、該蛇篭で水質改善機能を備えた護岸壁を構築することができる。
【図面の簡単な説明】
【００１４】
【図１】本発明に係る護岸壁の第１実施形態を示す断面図である。
【図２】図１の護岸壁を構築するのに使用される蛇篭の第１実施形態を示す斜視図である。
【図３】図２の蛇篭における蛇篭本体を、蓋網を取り外して示す斜視図である。
【図４】図２の蛇篭の拡大断面図である。
【図５】イオン吸着体の斜視図である。
【図６】本発明に係る護岸壁の第２実施形態を示す断面図である。
【図７】本発明に係る蛇篭の第２実施形態を示す斜視図である。
【図８】図７の蛇篭の断面図である。
【図９】本発明に係る蛇篭の第３実施形態を示す斜視図である。
【図１０】図９の蛇篭の断面図である。
【図１１】本発明に係る蛇篭の第４実施形態を示す斜視図である。
【発明を実施するための形態】
【００１５】
図１には本発明に係る護岸壁の第１実施形態が示されている。この護岸壁１Ａは、複数の蛇篭２を、海岸や河岸あるいは湖岸等の岸辺に沿って横に並べると共に上下に複数段段積して形成したもので、上下段の蛇篭２の位置を前後に少しずつずらすことによって全体として階段状に形成されている。なお、蛇篭２が岸辺に沿って左右方向に設置された状態の図示は省略されている。
図１中の符号３は水、４は水底、５は背面土を示している。
【００１６】
上記蛇篭２は、図２−図４に示すように、金網好ましくは菱形金網で形成された四角い容器形をした蛇篭本体７と、この蛇篭本体７の内部に収容された石８及びイオン吸着体９とからなるもので、このイオン吸着体９によって水質改善の機能が付与された「水質改善機能付き蛇篭」である。
これに対し、水質改善機能を持たない通常の蛇篭４０（図６参照）は、蛇篭本体４１の内部全体に石８が充填されているだけで、上記イオン吸着体９は設けられていない。
【００１７】
上記蛇篭２の蛇篭本体７は、平面視形状が横に長い長方形をなすもので、上面が開放する四角い容器形をした容体１０と、この容体１０の上面を塞ぐ長方形状の蓋網１１とからなっている。
上記容体１０は、長方形状をした底面網１０ａと、該底面網１０ａの前後の長辺に連結されて互いに相対する矩形の前面網１０ｂ及び後面網１０ｃと、上記底面網１０ａの左右の短辺に連結されて互いに相対する左右の矩形形状をした側面網１０ｄ，１０ｅとからなるものである。
【００１８】
上記容体１０を形成する場合、上記底面網１０ａと前面網１０ｂ及び後面網１０ｃと左右の側面網１０ｄ，１０ｅとを全て別々に形成し、各々の面網の周囲に取り付けた骨線１２同士を針金やクリップあるいはスクリューストッパ等の連結金具１３で連結することにより該容体１０を形成しても、上記底面網１０ａと前面網１０ｂ及び後面網１０ｃとを１枚の菱形金網で一連に形成し、左右の側面網１０ｄ，１０ｅは別体に形成して、それらを容器形に組み立てることにより該容体１０を形成しても良い。
また、上記容体１０と上記蓋網１１との連結は、該蓋網１１の周囲に取り付けた骨線１４と、上記前面網１０ｂ及び後面網１０ｃと左右の側面網１０ｄ，１０ｅとの上端縁に取り付けた上記骨線１２とを、上述した連結金具１３で連結することにより行われる。
【００１９】
上記蛇篭本体７における上記容体１０の内部は、前面網１０ｂと後面網１０ｃとの中間の位置より前面網１０ｂ側に寄った位置に該前面網１０ｂと平行に配置した仕切網１６により、該仕切網１６と後面網１０ｃとの間に介在する大容積の第１収容室１７と、該仕切網１６と前面網１０ｂとの間に介在する小容積の第２収容室１８とに区画されている。上記仕切網１６の下辺は底面網１０ａに連結され、左右の側辺は左右の側面網１０ｄ，１０ｅにそれぞれ連結されている。
【００２０】
上記蓋網１１は、その前端寄りの位置に取り付けられた骨線１９により、上記第１収容室１７の上面を覆う第１蓋網部分１１ａと、上記第２収容室１８の上面を覆う第２蓋網部分１１ｂとに区分され、該第２蓋網部分１１ｂは上記骨線１９を中心にして回動自在となっている。そして、上記第１蓋網部分１１ａは、後面網１０ｃ及び左右の側面網１０ｄ，１０ｅの上端の骨線１２に固定的に連結されることにより開閉できないが、上記第２蓋網部分１１ｂは、前面網１０ｂ及び左右の側面網１０ｄ，１０ｅの上端の骨線１２に開閉可能に連結されることにより、図４に鎖線で示すように、上記骨線１９を支点として開閉可能に形成され、それによって上記第２収容室１８から上記イオン吸着体９を取り出すことができるようになっている。
図２及び図３中の符号１５は、上記底面網１０ａと前面網１０ｂ及び後面網１０ｃとの中間位置に張設された補強線である。
【００２１】
上記第１収容室１７の内部には、蛇篭２の設置に必要な重量を確保するための上記石８が充填されている。この石８としては、金網の網目から抜け出さない程度の大きさを有するものであればどのようなものでも使用できるが、好ましくは、石材加工過程で大量に産出される端材を用いることである。このような端材は、二次加工が難しいため従来は廃棄していたものであるが、蛇篭の充填材として使用することにより、有効利用することができる。
この場合、図４に鎖線で示すように、上記仕切網１６が石８の充填によって前面網１０ｂ側に膨出、変形するのを防止するため、該仕切網１６の中間位置と底面網１０ａの中間位置との間に、１本又は複数本の補強用の張線２０を張設しても良い。
【００２２】
また、上記第２収容室１８の内部には、水中のイオン化した有害物質を吸着する多孔質の上記イオン吸着体９が収容されている。このイオン吸着体９は、多孔状のスラグセメントに、負に帯電した添加材を含有させるか、又は、正に帯電した添加材を含有させることにより、正又は負の何れかに帯電せしめられたもので、図５に示すように板状に形成されている。そして、同じ極性に帯電する複数の上記イオン吸着体９が、板面を蛇篭本体７の前後に向けた縦向きの姿勢で上記前面網１０ｂに沿って横並び状態に配設されている。従って、上記イオン吸着体９は、上記第２収容室１８内に若干の余裕を持って収容できる程度の高さ及び厚さに形成されている。
なお、上記イオン吸着体９の厚さが第２収容室１８の前後方向幅の半分より小さい場合には、該イオン吸着体９を第２収容室１８内に前後方向に重ねた状態で収容することもできる。
【００２３】
上記イオン吸着体９を負に帯電させるための添加材としては、天然無機素材を用いることができ、その中でも好ましくは、焼成骨粉（天然ヒドロキシアパタイト）を用いることである。一方、上記イオン吸着体９を正に帯電させるための添加材としては、例えばマグネシウムを用いることができる。
【００２４】
また、上記イオン吸着体９の製造は、金属鉱石を製錬する過程で生じる粒塊状のスラグと、セメントと、上記正又は負に帯電させるための添加材とを混和し、多孔をした板状に成形して固化させることにより行われる。その場合、上記スラグの粒径や各材料の混合割合等を種々に変えることにより、スラグセメントとしての空隙率を任意に設定することができる。
【００２５】
なお、以下の説明においては、負に帯電したイオン吸着体を「第１種イオン吸着体９ａ」又は「イオン吸着体９ａ」と称し、正に帯電したイオン吸着体を「第２種イオン吸着体９ｂ」又は「イオン吸着体９ｂ」と称することとする。しかし、特に正又は負に帯電していることを区別して説明する必要がない場合には、単に「イオン吸着体９」と称することとする。
また、必要に応じて、蛇篭２のうち、第１種イオン吸着体９ａを保持する蛇篭には符号「２ａ」を付し、第２種イオン吸着体９ｂを保持する蛇篭には符号「２ｂ」を付す。
【００２６】
水中に含まれるイオン化した有害物質としては、図１に示すように、銅、鉛、カドミウム、鉄、マンガン、亜鉛、クロムなどの重金属類２２と、青粉（藍藻）に代表される植物性プランクトン２３とがある。このうち重金属類２２は、正イオンの状態で主として水底近くに存在しており、上記植物性プランクトン２３は、負イオンの状態で主として水面近くに浮遊していることが知られている。
【００２７】
そこで、図１に示すように、岸辺に沿って上記蛇篭２を用いた護岸壁１Ａを構築することにより、該蛇篭２に設けられた上記イオン吸着体９によって水中のイオン化した有害物質を吸着し、除去することができる。
図１の護岸壁１Ａは、負に帯電した第１種イオン吸着体９ａを保持する蛇篭２ａと、正に帯電した第２種イオン吸着体９ｂを保持する蛇篭２ｂとを混用して形成したもので、水底４近くに位置する最下段の蛇篭２ａに上記第１種イオン吸着体９ａを保持させ、それより上段の蛇篭２ｂに第２種イオン吸着体９ｂを保持させている。
これにより、上記第１種イオン吸着体９ａが、主として水底近くに存在して正に帯電した重金属類２２を吸着し、上記第２種イオン吸着体９ｂが、水面近くや水中を浮遊する負に帯電した植物性プランクトン２３を吸着する。
【００２８】
しかし、本発明の護岸壁は、図６に示す第２実施形態の護岸壁１Ｂのように、第１種イオン吸着体９ａを保持する蛇篭２ａと、第２種イオン吸着体９ｂを保持する蛇篭２ｂと、通常の蛇篭４０とを混用して形成することもできる。即ち、この護岸壁１Ｂは、水底４近くにおいて該水底４より上に位置する蛇篭２ａに、負に帯電した上記第１種イオン吸着体９ａを保持させ、水面近くに位置する蛇篭２ｂに、正に帯電した上記第２種イオン吸着体９ｂを保持させ、その他の通常の蛇篭４０には、イオン吸着体９ｂを保持させないようにしたものである。図中の符号４ａは水底に堆積した底泥である。
このように構成することにより、蛇篭本体４１の内部全体に石が充填された通常の蛇篭４０によって護岸壁の強度を保ちつつ、局部的に配置された上記蛇篭２ａ，２ｂによって水底４近くに存在する重金属類２２と水面近くを浮遊する植物性プランクトン２３とをより効率良く吸着することができる。
【００２９】
また、重金属類２２のみを除去すれば良い環境下においては、第１種イオン吸着体９ａを保持する蛇篭２ａだけを使用して護岸壁を形成するか、又はこの蛇篭２ａと通常の蛇篭４０とを混用して護岸壁を形成することもできる。後者においては、上記第１種イオン吸着体９ａを保持する蛇篭２ａが水底近くに配置される。
更に、植物性プランクトン２３のみを除去すれば良い環境下においては、第２種イオン吸着体９ｂを保持する蛇篭２ｂだけを使用して護岸壁を形成するか、又はこの蛇篭２ｂと通常の蛇篭４０とを混用して護岸壁を形成することもできる。後者においては、上記蛇篭２ｂが水面近くに配置される。
【００３０】
上記第１種イオン吸着体９ａ又は第２種イオン吸着体９ｂに吸着された重金属類２２及び植物性プランクトン２３は、吸着された状態で安定化し、再び水３中に溶け出すことはない。このため、イオン吸着体９ａ，９ｂから溶け出す有害物質によって水３が再汚染されることがない。しかも、イオン吸着体９ａ，９ｂの空隙率を使用条件に応じて設定することにより、目詰まりを防いで吸着機能を長期間持続させることができ、その結果、確実かつ効率的に水質改善を行うことができる。
【００３１】
一定期間使用された上記イオン吸着体９ａ，９ｂは、第２収容室１８を覆う第２蓋網部分１１ｂを開放することによって該第２収容室１８から取り出されたあと、吸着した重金属類２２又は植物性プランクトン２３が洗浄等の手段により除去され、再び上記第２収容室１８内に収容されて再使用されるか、粉砕処理して廃棄されたり、コンクリート用骨材等に再利用される。上記イオン吸着体９ａ，９ｂが廃棄された場合には、上記第２収容室１８内には新たなイオン吸着体９ａ，９ｂが収容される。
【００３２】
このようにして、イオン吸着体９を保持する蛇篭２を使用することにより、該蛇篭２に特有の利点である非常に強固で通水性に勝れかつ生物の良好な生育環境を確保できるという利点をそのまま活かしつつ、水中の有害物質を吸着して水質改善を行うことが可能な護岸壁を構築することができる。
【００３３】
上記第１実施形態の蛇篭２は四角い容器形をした角形蛇篭であるが、本発明の蛇篭は、図７及び図８に示す第２実施形態の蛇篭２Ａのように、横に細長い円柱形をしていても良い。この蛇篭２Ａは、円筒形をした胴網２５と、該胴網２５の前面を塞ぐ蓋網２６及び後面を塞ぐ蓋網２７とからなる蛇篭本体２４を有し、該蛇篭本体２４の内部が、上記胴網２５の内部に取り付けられた仕切網２８により、該仕切網２８と後面の蓋網２７との間の第１収容室２９と、上記仕切網２８と前面の蓋網２６との間の第２収容室３０とに区分されている。そして、上記第１収容室２９内に石８が充填され、上記第２収容室３０内にイオン吸着体９が収容されている。要すれば、上記前面の蓋網２６を開閉自在とすることにより、上記イオン吸着体９を第２収容室３０に対して出し入れできるように構成することもできる。
【００３４】
上記蛇篭２Ａは、軸線を岸辺の法面の傾斜に沿わせた状態で左右に並べて配設すると共に、上下に複数段段積することにより、岸辺に沿って護岸壁を形成することができる。この場合、上段と下段の蛇篭の配置は左右に１／２ピッチずつずれていて、左右隣り合う蛇篭と蛇篭の間に上段の蛇篭が載置される。また、上下段の蛇篭の位置を前後にずらすことによって護岸壁を階段状にすることもできる。
【００３５】
なお、この第２実施形態において、上記イオン吸着体９が第１種イオン吸着体９ａ又は第２種イオン吸着体９ｂの何れかであること、及び、上記蛇篭２Ａで護岸壁を構築する場合に第１種イオン吸着体９ａが少なくとも水底近くに配置され、第２種イオン吸着体９ｂが少なくとも水面近くに配置されることは、図１及び図６に示す場合と実質的に同じである。
【００３６】
図９及び図１０には本発明の蛇篭の第３実施形態が示されている。この第３実施形態の蛇篭２Ｂは、短円柱形をした蛇篭であって、軸線を縦向きにして設置されるものであり、一般に「ダルマ篭」と称されるものである。
【００３７】
上記蛇篭２Ｂは、円筒形をした胴網３２と、該胴網３２の下面を塞ぐ円板形の底面網３３と、上記胴網３２の上面を塞ぐ円板形の蓋網３４と、上記胴網３２の内部に同心状に取り付けられた仕切網３５とからなる蛇篭本体３１を有している。該蛇篭本体３１の内部には、上記仕切網３５の内側の第１収容室３６と、該仕切網３５の外周と上記胴網３２の内周との間に介在する円環状の第２収容室３７とが形成され、上記第１収容室３６内に石８が充填され、上記第２収容室３７内にイオン吸着体９が並べて収容されている。
【００３８】
上記蛇篭２Ｂは、軸線を縦向きにして第１実施形態の蛇篭２と同様に階段状に段積することにより、岸辺に沿って護岸壁を形成することができる。この場合、上段の蛇篭と下段の蛇篭とは、左右の同じ位置に同じピッチで配置しても、上記第２実施形態の蛇篭２Ａのように１／２ピッチずつずらして配置しても良い。
【００３９】
なお、この第３実施形態においても、上記イオン吸着体９が第１種イオン吸着体９ａ又は第２種イオン吸着体９ｂの何れかであること、及び、上記蛇篭２Ｂで護岸壁を構築する場合に第１種イオン吸着体９ａが少なくとも水底近くに配置され、第２種イオン吸着体９ｂが少なくとも水面近くに配置されることは、図１及び図６に示す場合と実質的に同じである。
【００４０】
上記蛇篭２Ｂで構築した護岸壁においては、下段の蛇篭２Ｂの蓋網３４の上に上段の蛇篭２Ｂが載置されるため、最上段の蛇篭２Ｂ以外は蓋網３４を開閉することができず、従って、第２収容室３７からイオン吸着体９を取り出すことはできない。
【００４１】
これに対し、図１１に示す第４実施形態の蛇篭２Ｃは、上記ダルマ篭において、複数段段積したあとも第２収容室からイオン吸着体を取り出すことができるようにしたものである。このため、この蛇篭２Ｃは、胴網３２の内部の一端寄りの位置に、軸線と平行する板状の仕切網３５を設けることにより、該仕切網３５の両側に大容積の第１収容室３６と小容積の第２収容室３７とが形成され、上記第１収容室３６内に石８が充填され、上記第２収容室３７内にイオン吸着体９が並べて収容されている。
【００４２】
また、蓋網３４は、骨線３８を境にして、上記第１収容室３６を覆う第１蓋網部分３４ａと、上記第２収容室３７を覆う第２蓋網部分３４ｂとに区分され、該第２蓋網部分３４ｂが上記骨線３８を中心にして開閉自在とされている。
そして、上記第２収容室３７を前方に向け、上記第１収容室３６の上に上段の蛇篭２Ｃが位置するように各蛇篭を段積して護岸壁を構築することにより、上記第２蓋網部分３４ｂで上記第２収容室３７を開閉できるようになっている。
【００４３】
なお、上記各実施形態においては、上記イオン吸着体９が板状をしているが、このイオン吸着体９は、円柱状や角柱状等の柱状をしていても良く、あるいは、球状であっても、楕円体状であっても、不規則な外形形状をなす塊状をしていても良い。
【符号の説明】
【００４４】
１Ａ，１Ｂ      護岸壁
２，２ａ，２ｂ，２Ａ，２Ｂ，２Ｃ，４０      蛇篭
３      水
４      水底
７，２４，３１，４１      蛇篭本体
８      石
９      イオン吸着体
９ａ      第１種イオン吸着体
９ｂ      第２種イオン吸着体
１１，２６，３４      蓋網
１６，２８，３５      仕切網
１７，２９，３６      第１収容室
１８，３０，３７      第２収容室
２２      重金属類
２３      植物性プランクトン
【図１】
0005667797.tif 000002
【図２】
0005667797.tif 000003
【図３】
0005667797.tif 000004
【図４】
0005667797.tif 000005
【図５】
0005667797.tif 000006
【図６】
0005667797.tif 000007
【図７】
0005667797.tif 000008
【図８】
0005667797.tif 000009
【図９】
0005667797.tif 000010
【図１０】
0005667797.tif 000011
【図１１】
0005667797.tif 000012